【手続補正書】
【提出日】平成17年3月1日(2005.3.1)
【手続補正１】
【補正対象書類名】明細書
【補正対象項目名】特許請求の範囲
【補正方法】変更
【補正の内容】
【特許請求の範囲】
【請求項１】
所定の駆動信号を入力することにより機能を発する機能性素子群が、基板上に機能性材料を含有する溶液の液滴を噴射付与し、該溶液中の揮発成分を揮発させ、固形分を前記基板上に残留させることによって形成される機能性素子基板の製造装置において、前記基板上に機能性材料を含有した溶液を噴射する噴射手段を有し、該噴射手段は、複数種類の溶液を溶液ごとに独立して噴射する複数個のマルチノズル型噴射ヘッドから成り、該マルチノズル型噴射ヘッドは、前記複数種類の溶液ごとに噴射するノズル部分が溶液ごとに離間して構成されるとともに、前記基板に相対する位置に配され、かつ、キャリッジ搭載され、マルチノズルの配列方向は、噴射しながらキャリッジ移動する際のキャリッジの移動方向と非平行に配列されていることを特徴とする機能性素子基板の製造装置。
【請求項２】
請求項１に記載の機能性素子基板の製造装置によって形成される機能性素子群が形成された機能性素子基板であって、前記複数種類の機能性材料を含有する溶液は、それぞれ異なる色に発色する有機ＥＬ材料を溶解した溶液であることを特徴とする機能性素子基板。
【請求項３】
請求項１に記載の機能性素子基板の製造装置によって形成される機能性素子群が形成された機能性素子基板であって、前記機能性素子群は、有機トランジスタであることを特徴とする機能性素子基板。
【請求項４】
請求項１に記載の機能性素子基板の製造装置によって形成される機能性素子群が形成された機能性素子基板であって、前記機能性素子群は、機能性材料を含有する溶液によるドットパターンを重ね打ちもしくは接触させて形成されることを特徴とする機能性素子基板。
【請求項５】
請求項２又は４に記載の機能性素子基板と、該機能性素子基板に対向して配置されたカバープレートとを有することを特徴とする画像表示装置。
【請求項６】
基板上に機能性材料を含有する溶液の液滴を噴射付与し、該溶液中の揮発成分を揮発させ、固形分を前記基板上に残留させることによって形成される機能性素子基板の製造装置において、前記基板上に機能性材料を含有した溶液を噴射する噴射手段を有し、該噴射手段は、複数種類の溶液を溶液ごとに独立して噴射する複数個のマルチノズル型噴射ヘッドから成り、該マルチノズル型噴射ヘッドは、前記複数種類の溶液ごとに噴射するノズル部分が溶液ごとに離間して構成されるとともに、前記基板に相対する位置に配され、かつ、キャリッジ搭載され、マルチノズルの配列方向は、噴射しながらキャリッジ移動する際のキャリッジの移動方向と非平行に配列されていることを特徴とする機能性素子基板の製造装置。
【請求項７】
請求項６に記載の機能性素子基板の製造装置によって形成される機能性素子群が形成された機能性素子基板であって、前記複数種類の機能性材料は、カラーフィルターを形成する染料であることを特徴とする機能性素子基板。
【請求項８】
基板上に樹脂材料の液滴を噴射付与し、形成される素子の製造装置において、前記樹脂材料を噴射する噴射手段を有し、該噴射手段は、複数種類の樹脂材料を材料ごとに独立して噴射する複数個のマルチノズル型噴射ヘッドから成り、該マルチノズル型噴射ヘッドは、前記複数種類の材料ごとに噴射するノズル部分が材料ごとに離間して構成されるとともに、前記基板に相対する位置に配され、かつ、キャリッジ搭載され、マルチノズルの配列方向は、噴射しながらキャリッジ移動する際のキャリッジの移動方向と非平行に配列されていることを特徴とする素子の製造装置。
【請求項９】
請求項８に記載の素子の製造装置によって形成される素子であって、該素子は３次元構造体であることを特徴とする素子。
【手続補正２】
【補正対象書類名】明細書
【補正対象項目名】０００６
【補正方法】変更
【補正の内容】
【０００６】
【課題を解決するための手段】
本発明は、前記目的を達成するために、第１に、所定の駆動信号を入力することにより機能を発する機能性素子群が、基板上に機能性材料を含有する溶液の液滴を噴射付与し、該溶液中の揮発成分を揮発させ、固形分を前記基板上に残留させることによって形成される機能性素子基板の製造装置において、該基板に対して機能性材料を含有した溶液を噴射する噴射手段は、複数種類の溶液を溶液ごとに独立して噴射する複数個のマルチノズル型噴射ヘッドを、前記複数種類の溶液ごとに噴射するノズル部分が溶液ごとに離間して構成されるとともに、前記基板に相対する位置に配され、かつ、キャリッジ搭載された噴射手段とし、前記マルチノズル型噴射ヘッドのマルチノズルの配列方向は、噴射しながらキャリッジ移動する際のキャリッジの移動方向と非平行に配列されているようにした。
また、第２に、上記第１の機能性素子基板の製造装置によって形成された機能性素子基板において、前記複数種類の機能性材料を含有する溶液は、それぞれ異なる色に発色する有機ＥＬ材料を溶解した溶液であるようにした。
第３に、上記第１の機能性素子基板の製造装置によって形成される機能性素子群が形成された機能性素子基板であって、前記機能性素子群は、有機トランジスタであるようにした。
【手続補正３】
【補正対象書類名】明細書
【補正対象項目名】０００７
【補正方法】変更
【補正の内容】
【０００７】
さらに、第４に、上記第１の機能性素子基板の製造装置によって形成された機能性素子基板において、前記機能性素子群は機能性材料を含有する溶液によるドットパターンを重ね打ちもしくは接触させて形成されるようにした。
また、第５に、上記第２又は第４の機能性素子基板と、この機能性素子基板に対向して配置されたカバープレートとを有するような画像表示装置とした。
【手続補正４】
【補正対象書類名】明細書
【補正対象項目名】０００８
【補正方法】変更
【補正の内容】
【０００８】
さらに、第６に、基板上に機能性材料を含有する溶液の液滴を噴射付与し、該溶液中の揮発成分を揮発させ、固形分を前記基板上に残留させることによって形成される機能性素子基板の製造装置において、前記基板上に機能性材料を含有した溶液を噴射する噴射手段を有し、該噴射手段は、複数種類の溶液を溶液ごとに独立して噴射する複数個のマルチノズル型噴射ヘッドから成り、該マルチノズル型噴射ヘッドは、前記複数種類の溶液ごとに噴射するノズル部分が溶液ごとに離間して構成されるとともに、前記基板に相対する位置に配され、かつ、キャリッジ搭載され、マルチノズルの配列方向は、噴射しながらキャリッジ移動する際のキャリッジの移動方向と非平行に配列されているようにした。
また、第７に、第６の機能性素子基板の製造装置によって形成される機能性素子群が形成された機能性素子基板であって、前記複数種類の機能性材料は、カラーフィルターを形成する染料であるようにした。
【手続補正５】
【補正対象書類名】明細書
【補正対象項目名】０００９
【補正方法】変更
【補正の内容】
【０００９】
さらに、第８に、基板上に樹脂材料の液滴を噴射付与し、形成される素子の製造装置において、前記樹脂材料を噴射する噴射手段を有し、該噴射手段は、複数種類の樹脂材料を材料ごとに独立して噴射する複数個のマルチノズル型噴射ヘッドから成り、該マルチノズル型噴射ヘッドは、前記複数種類の材料ごとに噴射するノズル部分が材料ごとに離間して構成されるとともに、前記基板に相対する位置に配され、かつ、キャリッジ搭載され、マルチノズルの配列方向は、噴射しながらキャリッジ移動する際のキャリッジの移動方向と非平行に配列されているようにした。
また、第９に、第８の素子の製造装置によって形成される素子であって、該素子は３次元構造体であるようにした。